(57)【要約】【課題】中に入れた種子全体に温湯がいきわたり易いようにした温湯消毒用ネット袋を提供すること。【解決手段】所定量の種子を中に詰めたものであって、筒状のネット部材の両端開口部を直線的に閉じて形成された温湯消毒用ネット袋１において、筒状のネット部材の両端開口部が、一方の接合部３の直線方向に対して他方の接合部４の直線方向が角度をもって形成することにより、立体的な形状の袋を構成し、中に詰めた種子が袋の中で動きやすくする。【選択図】図１
2010178707.tif 000002
【特許請求の範囲】
【請求項１】
所定量の種子を中に詰めたものであって、筒状のネット部材の両端開口部を直線的に閉じて形成された温湯消毒用ネット袋において、
筒状のネット部材の両端開口部が、一方の接合部の直線方向に対して他方の接合部の直線方向が角度をもって形成されたものであることを特徴とする温湯消毒用ネット袋。
【請求項２】
請求項１に記載する温湯消毒用ネット袋において、
前記一方の接合部の直線方向に対する他方の接合部の直線方向の角度が９０度であることを特徴とする温湯消毒用ネット袋。
【請求項３】
請求項１又は請求項２に記載する温湯消毒用ネット袋において、
前記接合部は、熱溶着によって接合したものであることを特徴とする温湯消毒用ネット袋。
【請求項４】
請求項３に記載する温湯消毒用ネット袋において、
前記接合部は、シール部材を重ねて溶着したものであることを特徴とする温湯消毒用ネット袋。
【発明の詳細な説明】
【技術分野】
【０００１】
本発明は、種子の温湯消毒に使用される温湯消毒用ネット袋に関し、特に、中に入れた種子に温湯が十分に行き渡るようにした温湯消毒用ネット袋に関する。
【背景技術】
【０００２】
種籾の表面に付着したり、籾殻と果皮との間に潜む病原菌（いもち病、ばか苗病、苗立枯細菌病など）を殺菌や除菌するなど、種籾の消毒に関して最近では、例えば６０℃の一定温度の温湯に、５〜１０分程度の一定時間種籾を漬ける温湯消毒が行われている。
その際、各農家では複数のネット袋に一定量の種籾を分けて入れ、口を縛って前記温湯消毒を実行しているが、大量に温湯消毒した種籾を得るためには、自動袋詰め装置によって自動的に所定量（例えば４ｋｇ）の種籾を入れた温湯消毒用ネット袋が作られている。
【０００３】
自動袋詰め装置で作られる種籾を入れた温湯消毒用ネット袋は、図２に示すように両端の開口部を平行に閉じたものであった。すなわち、自動袋詰め装置では、ロールに巻かれた長尺な筒状のネット原材が所定長さに切断され、口の開いた両端部を熱溶着して閉じることにより、両端に接合部１０１，１０２をもった温湯消毒用ネット袋１００が作られていた。なお、自動袋詰め装置では、接合部１０１に続いて接合部１０２を溶着する間に、例えば４ｋｇ程度の一定量の種籾が計量されて投入される。
【先行技術文献】
【特許文献】
【０００４】
【特許文献１】特開２００１−３４６４０８号公報
【発明の概要】
【発明が解決しようとする課題】
【０００５】
しかしながら、こうして作られた従来の温湯消毒用ネット袋１００は、その基本的な形状が平らであるため、その中に種籾が入れられて膨らんだ状態になる温湯消毒用ネット袋１００であっても、詰め込まれた種籾同士の隙間ができにくかった。従って、詰められた種籾の表側は温湯が浸透しても、内側に位置する種籾にまで温湯が浸透せずに十分な消毒の効果がえられず、一方で、内部の種籾が浸透するまで時間をかけたのでは、表側の種籾が余分な水分を吸収してしまい好ましくない。
【０００６】
そこで、本発明は、上記課題を解決するためになされたものであり、中に入れた種子全体に温湯がいきわたり易いようにした温湯消毒用ネット袋を提供することを目的とする。
【課題を解決するための手段】
【０００７】
（１）上記課題を解決すべく、本発明の温湯消毒用ネット袋は、所定量の種子を中に詰めたものであって、筒状のネット部材の両端開口部を直線的に閉じて形成された温湯消毒用ネット袋において、筒状のネット部材の両端開口部が、一方の接合部の直線方向に対して他方の接合部の直線方向が角度をもって形成されたものである。
（２）本発明の温湯消毒用ネット袋は、（１）に記載の発明において、前記一方の接合部の直線方向に対する他方の接合部の直線方向の角度が９０度であることが好ましい。
（３）本発明の温湯消毒用ネット袋は、（１）又は（２）に記載の発明において、前記接合部は、熱溶着によって接合したものであることが好ましい。
（４）本発明の温湯消毒用ネット袋は、（３）に記載の発明において、前記接合部は、シール部材を重ねて溶着したものであることが好ましい。      
【発明の効果】
【０００８】
上記温湯消毒用ネット袋は、筒状のネット部材の両端開口部が直線的に閉じられ、一方の接合部の直線方向に対して他方の接合部の直線方向が角度をもって形成されることにより、筒形状のネット部材から作られた袋が立体的な形状を構成するようにしたので、温湯に入れる際に中に詰めた種子が袋内で動いて種子間に隙間を作りやすく、中に入れた種子全体に温湯がいきわたり易い。
また、上記温湯消毒用ネット袋は、一方の接合部の直線方向に対する他方の接合部の直線方向の角度が９０度であるので、内部容積の大きい立体的な形状を構成できる。
また、上記温湯消毒用ネット袋は、接合部が熱溶着によって接合したものであるので、立体的形状の袋を安価に構成できる。
更に、上記温湯消毒用ネット袋は、接合部がシール部材と共に溶着されるので、接合部の溶着面積を増やして、接合強度を増すことができる。
【図面の簡単な説明】
【０００９】
【図１】本発明の実施形態に係る温湯消毒用ネット袋の外観斜視図である。
【図２】従来の温湯消毒用ネット袋の外観斜視図である。
【発明を実施するための形態】
【００１０】
続いて、本発明に係る温湯消毒用ネット袋の一実施形態について図面を参照して説明する。図１は、本発明の実施形態に係る温湯消毒用ネット袋１の外観斜視図である。
温湯消毒用ネット袋１は、従来のように自動袋詰め装置によって形成され、ロールに巻かれた長尺な筒状のネット原材を所定長さに切断し、口の開いた両端部を熱溶着によって閉じた接合部３，４が形成される。その際、接合部３に続いて接合部４を順に熱溶着する間に所定量の種籾が計量されて投入される。
【００１１】
温湯消毒用ネット袋１を形成するためのネット原材は、例えばナイロン等の樹脂のように水はじきが良く強度がある材料で作られたものであり、種籾が抜け出ないように小さい編み目のものが使用されている。そして、その長尺な筒状のネット原材から所定長さに切断され、種籾を詰めて両端開口部が閉じられる。その際、接合部３，４は、開口部が従来と同様に直線的に接合されるが、本実施形態では直線方向が両端で異なっている。すなわち、従来は、図２に示すように平行であった接合部１０１，１０２が、本実施形態では所定の角度をもって接合部３，４が形成されている。
【００１２】
特に、温湯消毒用ネット袋１では、接合部３，４の直線方向が９０度の角度をもって交差するような関係にあり、筒形状の部材から作られた袋が立体的な形状を構成することになる。すなわち、接合部３から見た場合に、その一方の接合端部３１では、他方の接合部４の両方の接合端部４１，４２との間で引っ張り合う筋５が２本でき、もう一つの接合端部３２にも、同じように接合部４の接合端部４１，４２との間で引っ張り合う筋５が２本できるようになる。
【００１３】
この点、図２に示す従来の温湯消毒用ネット袋１００では、各接合部１０１，１０２の接合端部が一対一でしか引っ張り合っていないため、袋全体の筋が２本しかなく、袋形状が平面的であった。それに対して本実施形態の温湯消毒用ネット袋１は、直線状の接合部３，４に加えて４本の筋５ができ、袋形状が６辺による４面の立体的なものになった。
【００１４】
よって、平面的な形状をした従来の温湯消毒用ネット袋１００では、入れられた所定量の種籾自身が袋の形状を膨らませるように変形させるため、袋の抵抗を受けて動き難かった。しかし、予め立体的な形状をした本実施形態の温湯消毒用ネット袋１では、袋による拘束がほとんどないので、温湯に入れる際にも中の種籾が動いて、その種籾間に隙間ができやすく、内側に位置するものにまで温湯が浸透しやすくなる。つまり、温湯消毒用ネット袋１によれば、中に入れた種子全体に温湯がいきわたり易い。
【００１５】
ところで、温湯消毒用ネット袋１の接合部３，４は、ネット同士の熱溶着のみでは接合強度が弱いため、口が開いてしまうおそれがある。そこで、本実施形態では溶着シール６（シール部材の一例）を使用し、接合部３，４の溶着部分に溶着シール６を重ねてネットと一緒に溶着するようにしている。これにより、ネットが溶着シール６とともに溶着され、その溶着面積が増えることで接合強度が増すことになる。また、溶着シール６を設けたことにより、接合部３，４に張りを持たせることとで温湯消毒用ネット袋１の立体形状を維持し易くなり、種籾全体に温湯を浸透させる前記効果にも寄与する。
【００１６】
こうして、温湯消毒用ネット袋１の中の種籾を所定温度の温湯に所定時間浸すことで、中の種籾全体に対して、種籾の表皮に付着し、籾殻と果皮との間に潜む病原菌を除去することができる。なお、温湯への浸漬を終えた種籾は、次に冷水へと漬けられ、その後、温湯消毒用ネット袋１のまま乾燥に付される。
【００１７】
以上、本発明の温湯消毒用ネット袋の一実施形態について説明したが、本発明は上記実施形態に限定されないことは言うまでもない。
例えば、前記実施形態では、接合部３，４を熱溶着することによって簡単に接合する方法を採用したが、紐などで縫い合わせることによって強固な接合部にするようにしてもよい。
また、接合部３，４の直線方向の角度を９０度にしたが、角度を小さくして立体的でありながら、折り畳みやすいものにすることも考えられる。
【符号の説明】
【００１８】
１  温湯消毒用ネット袋
３，４  接合部
５，６  シール部材
【図１】
2010178707.tif 000003
【図２】
2010178707.tif 000004